(57)【要約】【課題】装置が大型化することがなく、また、経済性を損なうことなく、搬送される原稿が、ルーズリーフ原稿、パンチ穴原稿、通常原稿のいずれであるかを判定する。【解決手段】原稿が搬送される第１搬送経路を挟んで、導電部材３１と、第１導電ブラシ３２ｂおよび第２導電ブラシ３３ｂとが幅方向に沿った状態で対向配置されている。第１導電ブラシ３２ｂおよび第２導電ブラシ３３ｂは、原稿が搬送されない状態では、それぞれ全体にわたって導電部材３１と導電状態になり、通常原稿の搬送時には全体にわたって導電部材３１と非導電状態になる。第１導電ブラシ３２ｂは、ルーズリーフ原稿およびパンチ穴原稿の搬送時にルーズリーフ穴およびパンチ穴を介して導電部材３１と一部導電状態になる。第２導電ブラシ３２ｃは、ルーズリーフ原稿の搬送時にルーズリーフ穴を介して導電部材３１と一部導電状態になり、パンチ穴原稿の搬送時には導電状態にならない。【選択図】図４
2011118282.tif 000002
【特許請求の範囲】
【請求項１】
自動原稿搬送装置における搬送経路途上の幅方向に沿って配置された導電部材と、
先端部が前記導電部材と接触する状態で、前記導電部材に対向する第１位置に配置された第１導電ブラシと、
先端部が前記導電部材と接触する状態で、前記導電部材に対向する第２位置に配置され第２導電ブラシと、
前記導電部材と前記第１導電ブラシおよび第２導電ブラシとの間を原稿が通過する間に、前記第１導電ブラシおよび前記第２導電ブラシのいずれが前記導電部材と接触して導電状態になったかを検出して、通過中の原稿がルーズリーフ原稿、パンチ穴原稿、綴じ穴が形成されていない通常原稿のいずれであるかを判定する原稿判定手段と、を備え、
前記第１位置は、通過中の原稿が、ルーズリーフ原稿、パンチ穴原稿のいずれであっても、当該原稿の穴を介して当該第１導電ブラシの先端部と前記導電部材とが接触する位置になっており、
前記第２位置は、通過中の原稿がルーズリーフ原稿の場合、当該原稿の穴を介して前記第２導電ブラシの先端部が前記導電部材と接触し、パンチ穴原稿の場合、前記第２導電ブラシの先端部が当該原稿における穴の存在しない部分に接触して前記導電部材と接触しない位置になっていることを特徴とする原稿判定機構。
【請求項２】
自動原稿搬送装置における搬送経路途上の幅方向に沿って配置された導電部材と、
先端部が前記導電部材と接触する状態で前記導電部材に対向する所定位置に配置された第１導電ブラシと、
当該第１導電ブラシと前記導電部材との接触状態に対応した電気信号を出力する第１出力部と、
当該第１出力部から出力される電気信号に基づいて、前記第１導電ブラシと前記導電部材との間を通過する原稿がルーズリーフ原稿、パンチ穴原稿、通常原稿のいずれであるかの判定を行う原稿判定手段と、を備え、
前記第１導電ブラシは、通過中の原稿が、ルーズリーフ原稿、パンチ穴原稿のいずれであっても、当該原稿の穴を介して当該第１導電ブラシの先端部が前記導電部材と接触するようになっていることを特徴とする原稿判定機構。
【請求項３】
先端部が前記導電部材と接触する状態で前記導電部材に対向する所定位置に配置された第２導電ブラシと、
当該第２導電ブラシと前記導電部材との接触状態に対応した電気信号を出力する第２出力部と、をさらに備え、
前記第２導電ブラシは、当該第２導電ブラシと前記導電部材との間を通過する原稿がルーズリーフ原稿の場合、当該原稿の穴を介して前記第２導電ブラシの先端部が前記導電部材と接触し、当該原稿がパンチ穴原稿の場合、前記第２導電ブラシの先端部が当該原稿における穴の存在しない部分に接触して前記導電部材と接触しないようになっており、
前記原稿判定手段は、前記第１出力部および前記第２出力部から出力される電気信号に基づいて前記判定を行うことを特徴とする請求項２に記載の原稿判定機構。
【請求項４】
前記第２導電ブラシは、ルーズリーフ原稿の搬送時にルーズリーフ穴を介して前記導電部材と接触して導電状態になる部分と、ルーズリーフ穴の間隙に接触して前記導電部材とは接触しない部分とに分割されていることを特徴とする請求項３に記載の原稿判定機構。
【請求項５】
前記第２導電ブラシにおける分割された各部分の前記幅方向長さは、ルーズリーフ穴の前記幅方向に沿った長さと、隣接するルーズリーフ穴の間隙の前記幅方向に沿った長さとにおける短い方の長さになっていることを特徴とする請求項４に記載の原稿判定機構。
【請求項６】
搬送経路に沿って原稿を搬送する自動原稿搬送装置であって、
請求項１〜５のいずれか一項に記載の原稿判定機構を有することを特徴とする自動原稿搬送装置。
【請求項７】
前記搬送経路内を搬送される原稿を検出するように、当該搬送経路に沿って配置された複数の原稿センサをさらに有し、
前記原稿判定機構は、前記搬送経路内における搬送方向の最も上流側に配置された原稿センサよりもさらに搬送方向上流側に配置されていることを特徴とする請求項６に記載の自動原稿搬送装置。
【請求項８】
前記原稿判定手段によってルーズリーフ原稿またはパンチ穴原稿と判定される場合に、前記原稿判定機構から出力される電気信号に基づいて、当該原稿上におけるルーズリーフ穴またはパンチ穴の位置をそれぞれ特定し、前記複数の原稿センサがルーズリーフ穴またはパンチ穴の位置を検出するタイミングで、当該各原稿センサの出力を無効にするように構成されていることを特徴とする請求項７に記載の自動原稿搬送装置。
【発明の詳細な説明】
【技術分野】
【０００１】
本発明は、原稿の画像を読み取るスキャナ装置に原稿を搬送する際に、原稿に綴じ穴が形成されていることを判定する原稿判定機構、および、原稿判定機構が設けられた自動原稿搬送装置に関する。
【背景技術】
【０００２】
複写機等の画像形成装置では、原稿画像を読み取るスキャナ装置（スキャナユニット）に原稿を自動搬送する自動原稿搬送装置（ＡＤＦユニット）を設けることによって、複数枚の原稿の画像を読み取る際の操作性、読み取り効率等を向上させている。ＡＤＦユニットは、通常、原稿給紙トレイ上に載置された原稿が、スキャナユニットに設けられた原稿画像読取位置上を通過するように、原稿を自動搬送する。
【０００３】
ＡＤＦユニットの搬送経路内に搬送される原稿としては、綴じ穴が設けられていない通常の用紙に限らず、専用のバインダーに綴じることができるように、一方の側縁部に、多数の綴じ穴（多穴：ルーズリーフ穴）が列状に並んで形成されたルーズリーフ用紙（ルーズリーフ原稿）、２穴、３穴等のパンチ穴が形成されたパンチ穴用紙（パンチ穴原稿）の場合もある。
【０００４】
特許文献１には、搬送される原稿用紙の所定部分に綴じ穴が形成されていることを反射型光センサ等によって検知して、原稿用紙の所定部分に綴じ穴が形成されていることが検出されると、原稿用紙の搬送を停止する等の制御を行う原稿送り出し装置が開示されている。
また、特許文献２には、搬送される用紙の綴じ穴の存在を正確に検出するために、所定の用紙の綴じ穴にそれぞれ対応する複数の用紙検出素子を搬送方向とは直交する方向に沿って並列に配置した用紙検出装置が開示されている。
【０００５】
さらに、特許文献３には、発光素子から発せられる光を、導光板によって、搬送される原稿に光を照射し、原稿に設けられた綴じ穴を通過した光を他の導光板によってフォトトランジスタに導いて、フォトトランジスタの出力に基づいて、原稿用紙に綴じ穴が存在することを検出する構成が開示されている。
また、ＡＤＦユニットにおける記録シートの搬送経路には、原稿の搬送位置を検出するための複数の原稿センサが搬送経路に沿って設けられている。原稿センサは、通常、原稿の先端縁および後端縁を光学的に検出するようになっており、原稿センサの検出結果に基づいて、搬送経路の切り替えタイミング、後続の原稿の搬送タイミング等が制御される。
【０００６】
ルーズリーフ原稿またはパンチ穴原稿が、ルーズリーフ穴またはパンチ穴を搬送方向の前側（先端側）または後側（後端側）とした状態で搬送経路内を搬送されると、搬送経路に設けられた各原稿センサは、ルーズリーフ穴またはパンチ穴の先端側の側縁あるいは後端側の側縁を、原稿の後端縁あるいは先端縁として誤検出するおそれがある。原稿センサにおいて誤検出が生じると、搬送経路の切り替えタイミング、原稿の搬送タイミング等を適切に制御することができず、搬送経路において紙詰まり等のトラブルが生じるおそれがある。
【０００７】
このような原稿センサによる誤検出を防止するために、原稿の先端側の側縁（辺縁）が検出された場合に、所定時間にわたって原稿センサの出力を無効にすることが提案されている。しかし、このような構成では、綴じ穴が形成されていない通常原稿が搬送される場合にも、所定時間にわたって原稿センサの出力が無効にされるために、搬送経路の切り替えタイミング、後続の原稿の搬送開始タイミング等が遅れることになり、原稿の搬送効率が低下することになる。
【先行技術文献】
【特許文献】
【０００８】
【特許文献１】実開平５−８５７４０号公報
【特許文献２】特開平６−９２５０８号公報
【特許文献２】特開２００５−２０４００８号公報
【発明の概要】
【発明が解決しようとする課題】
【０００９】
特許文献１に開示された原稿送り出し装置では、原稿台に載置された原稿における所定位置に綴じ穴が存在する場合に、反射型光センサ等の検出手段によってその綴じ穴を検出することができる。しかし、原稿に形成される綴じ穴の配置は一定ではなく、ルーズリーフ原稿におけるルーズリーフ穴の配置と、パンチ穴原稿におけるパンチ穴の配置とは異なっている。このために、検出手段が配置された位置に対応する所定位置に綴じ穴が存在しない場合には、その綴じ穴を検出することができないという問題がある。
【００１０】
特許文献２に開示された装置では、複数の用紙検出素子を、搬送される用紙に形成された綴じ穴に対応するように予め配置することにより、その綴じ穴が形成された所定の用紙については綴じ穴を検出することができる。しかしながら、この場合にも、用紙検出素子の配置に対応していないような綴じ穴が形成された原稿が搬送される場合には、その綴じ穴を検出することができないという問題がある。
【００１１】
特許文献３の構成では、原稿に形成された綴じ穴の数に無関係に、原稿に綴じ穴が形成されていることを検出することができる。しかしながら、この場合には、発光素子から照射された光を導く導光板に対して発光素子を一方の導光板の側方に配置し、また、フォトトランジスタに光を導く他方の導光板に対してフォトトランジスタを当該他方の導光板の側方に配置する必要がある。
【００１２】
このために、発光素子およびフォトトランジスタを配置するためのスペースを、原稿の搬送経路の側方に確保しなければならず、それにより、自動原稿搬送装置が大型化するおそれがある。しかも、発光素子、フォトトランジスタ、一対の導光板等が必要になるために、経済性が損なわれるおそれもある。
本発明は、上記の問題に鑑みてなされたものであり、その目的は、穴あき原稿と通常原稿との判定を、自動原稿搬送装置が大型化することなく、また、経済性を損なうことなく行うことができる原稿判定機構、および、原稿搬送効率の低下を防止することができる自動原稿搬送装置を提供することにある。
【課題を解決するための手段】
【００１３】
上記目的を達成するため、本発明に係る原稿判定機構は、自動原稿搬送装置における搬送経路途上の幅方向に沿って配置された導電部材と、先端部が前記導電部材と接触する状態で、前記導電部材に対向する第１位置に配置された第１導電ブラシと、先端部が前記導電部材と接触する状態で、前記導電部材に対向する第２位置に配置され第２導電ブラシと、前記導電部材と前記第１導電ブラシおよび第２導電ブラシとの間を原稿が通過する間に、前記第１導電ブラシおよび前記第２導電ブラシのいずれが前記導電部材と接触して導電状態になったかを検出して、通過中の原稿がルーズリーフ原稿、パンチ穴原稿、綴じ穴が形成されていない通常原稿のいずれであるかを判定する原稿判定手段と、を備え、前記第１位置は、通過中の原稿が、ルーズリーフ原稿、パンチ穴原稿のいずれであっても、当該原稿の穴を介して当該第１導電ブラシの先端部と前記導電部材とが接触する位置になっており、前記第２位置は、通過中の原稿がルーズリーフ原稿の場合、当該原稿の穴を介して前記第２導電ブラシの先端部が前記導電部材と接触し、パンチ穴原稿の場合、前記第２導電ブラシの先端部が当該原稿における穴の存在しない部分に接触して前記導電部材と接触しない位置になっていることを特徴とする。
【００１４】
また、本発明に係る原稿判定機構は、自動原稿搬送装置における搬送経路途上の幅方向に沿って配置された導電部材と、先端部が前記導電部材と接触する状態で前記導電部材に対向する所定位置に配置された第１導電ブラシと、当該第１導電ブラシと前記導電部材との接触状態に対応した電気信号を出力する第１出力部と、当該第１出力部から出力される電気信号に基づいて、前記第１導電ブラシと前記導電部材との間を通過する原稿がルーズリーフ原稿、パンチ穴原稿、通常原稿のいずれであるかの判定を行う原稿判定手段と、を備え、前記第１導電ブラシは、通過中の原稿が、ルーズリーフ原稿、パンチ穴原稿のいずれであっても、当該原稿の穴を介して当該第１導電ブラシの先端部が前記導電部材と接触するようになっていることを特徴とする。
【００１５】
また、本発明は、搬送経路に沿って原稿を搬送する自動原稿搬送装置であって、前記原稿判定機構を有することを特徴とする。
【発明の効果】
【００１６】
本発明の原稿判定機構では、第１導電ブラシおよび第２導電ブラシの導電状態および非導電状態に基づいて、あるいは、第１導電ブラシを有する第１出力部から出力される電気信号に基づいて、ルーズリーフ原稿、パンチ穴原稿、通常原稿のいずれであるかの判定を行うことができるために、光学センサ等の高価な部品を使用する必要がなく経済的である。また、原稿の搬送経路の片側あるいは両側に、センサ等を配置するための特別なスペースを確保する必要もないために、原稿判定機構が設けられる自動原稿搬送装置が大型化するおそれもない。
【００１７】
さらには、このような原稿判定機構を使用することにより、搬送経路を搬送される原稿が通常原稿の場合に、原稿センサによって原稿が検出された後に所定時間が経過するまで待機する必要がなく、後続の原稿の搬送タイミング、搬送経路の切り替えタイミング等が遅れるおそれがない。これにより、原稿の搬送効率を向上させることができる。
好ましくは、原稿判定機構において、先端部が前記導電部材と接触する状態で前記導電部材に対向する所定位置に配置された第２導電ブラシと、当該第２導電ブラシと前記導電部材との接触状態に対応した電気信号を出力する第２出力部と、をさらに備え、前記第２導電ブラシは、当該第２導電ブラシと前記導電部材との間を通過する原稿がルーズリーフ原稿の場合、当該原稿の穴を介して前記第２導電ブラシの先端部が前記導電部材と接触し、当該原稿がパンチ穴原稿の場合、前記第２導電ブラシの先端部が当該原稿における穴の存在しない部分に接触して前記導電部材と接触しないようになっており、前記原稿判定手段は、前記第１出力部および前記第２出力部から出力される電気信号に基づいて前記判定を行うことを特徴とする。
【００１８】
好ましくは、原稿判定機構において、前記第２導電ブラシは、ルーズリーフ原稿の搬送時にルーズリーフ穴を介して前記導電部材と接触して導電状態になる部分と、ルーズリーフ穴の間隙に接触して前記導電部材とは接触しない部分とに分割されていることを特徴とする。
好ましくは、原稿判定機構において、前記第２導電ブラシにおける分割された各部分の前記幅方向長さは、ルーズリーフ穴の前記幅方向に沿った長さと、隣接するルーズリーフ穴の間隙の前記幅方向に沿った長さとにおける短い方の長さになっていることを特徴とする。
【００１９】
好ましくは、自動原稿搬送装置において、前記搬送経路内を搬送される原稿を検出するように、当該搬送経路に沿って配置された複数の原稿センサをさらに有し、前記原稿判定機構は、前記搬送経路内における搬送方向の最も上流側に配置された原稿センサよりもさらに搬送方向上流側に配置されていることを特徴とする。
好ましくは、自動原稿搬送装置において、前記原稿判定手段によってルーズリーフ原稿またはパンチ穴原稿と判定される場合に、前記原稿判定機構から出力される電気信号に基づいて、当該原稿上におけるルーズリーフ穴またはパンチ穴の位置をそれぞれ特定し、前記複数の原稿センサがルーズリーフ穴またはパンチ穴の位置を検出するタイミングで、当該各原稿センサの出力を無効にするように構成されていることを特徴とする。
【図面の簡単な説明】
【００２０】
【図１】本発明の実施形態１に係るＡＤＦユニットが設けられた画像読取装置を備えるＭＦＰを示す斜視図である。
【図２】そのＭＦＰの概略構成を示す正面側から見た模式図である。
【図３】そのＭＦＰにおけるＡＤＦユニットに設けられた原稿判定機構およびその周辺部分の概略構成を示す模式図である。
【図４】その原稿判定機構の構成を説明するための正面模式図であり、原稿判定機構と搬送原稿における綴じ穴との位置関係も示している。
【図５】穴あき原稿の通過時における原稿判定機構の動作を説明するための原稿判定機構の主要部の正面模式図である。
【図６】ＭＦＰにおける制御系の主要部を示すブロック図である。
【図７】ＭＦＰにおけるＡＤＦ−ＣＰＵによって実行される原稿判定制御の処理の流れを説明するためのフローチャートである。
【図８】原稿判定機構における出力電圧の検出タイミングと、第１原稿センサによる原稿の検出タイミングとの関係を説明するためのタイミングチャートである。
【図９】本発明の実施形態２に係る原稿判定機構の構成を説明するための正面模式図であり、原稿判定機構と搬送原稿における綴じ穴との位置関係も示している。
【図１０】その原稿判定機構が設けられるＡＤＦユニットの原稿給紙トレイと、当該原稿給紙トレイ上にサイズの異なる複数種類の原稿が載置された場合における綴じ穴との位置関係を示すグラフである。
【図１１】その原稿判定機構の等価回路図である。
【図１２】（ａ）は、その原稿判定機構によって綴じ穴を検出する際の原稿判定機構に設けられた各出力部の抵抗値と綴じ穴との関係を示す表、（ｂ）は、綴じ穴と検出電圧との関係の具体例を示す表である。
【図１３】実施形態２におけるＡＤＦ−ＣＰＵによって実行される原稿判定制御の処理の流れを説明するための第１フローチャートである。
【図１４】その第１フローチャートに続く原稿判定制御の処理の流れを説明するための第２フローチャートである。
【発明を実施するための形態】
【００２１】
［実施形態１］
＜画像形成装置の構成＞
図１は、本発明の実施の形態に係る画像読取装置が設けられた画像形成装置の一例を示す斜視図である。この画像形成装置は、複写機、スキャナ、プリンタ、ファックスなどの機能を有する複合機（ＭＦＰ：Multiple Function Peripheral）であり、ネットワークを介して、端末装置等とのデータの送受信が可能になっている。図１に示すように、このＭＦＰは、記録用紙等の記録シート上にトナー画像を形成する画像形成装置本体Ａと、画像形成装置本体Ａ上に設けられた画像読取装置Ｂとを備えている。画像読取装置Ｂは、原稿画像を読み取るスキャナユニット（スキャナ装置）１０と、スキャナユニット１０上に設けられたＡＤＦユニット（自動原稿搬送装置）２０とを有している。
【００２２】
画像読取装置Ｂを構成するＡＤＦユニット２０は、スキャナユニット１０に対して、ヒンジ機構によって開閉自在に取り付けられており、スキャナユニット１０の上面を覆った閉状態で、画像を読み取るための原稿をスキャナユニット１０へ自動搬送する。スキャナユニット１０は、ＡＤＦユニット２０によって自動搬送される原稿の画像、または、スキャナユニット１０におけるプラテンガラス１８（図２参照）に、操作者によって手置きセットされた原稿の画像を光学的に読み取ることにより画像データを生成する。
【００２３】
画像形成装置本体Ａには、プリンタ部６１と、プリンタ部６１の下側に設けられた給紙部６２とが設けられており、給紙部６２内の記録シートがプリンタ部６１に供給される。プリンタ部６１では、スキャナユニット１０にて生成された画像データ、あるいは、ネットワークを介して端末装置等から送られる画像データに基づいて、周知の電子写真方式により、記録シート上にトナー画像をプリントする。プリンタ部６１によってトナー画像がプリントされた記録シートは、スキャナユニット１０の下側に設けられた画像形成装置本体Ａの排紙トレイ６３上に排出される。
【００２４】
＜ＡＤＦユニットの構成＞
図２は、画像読取装置Ｂの概略構成を示す正面側から見た模式図である。図２に示すように、ＡＤＦユニット２０は、スキャナユニット１０の上面を全体にわたって覆った閉状態から上方に回動されることによってスキャナユニット１０の上面を開状態とするＡＤＦユニット本体２１と、スキャナユニット１０に搬送される原稿が載置されるようにＡＤＦユニット本体２１に取り付けられた原稿給紙トレイ２２とを有している。
【００２５】
ＡＤＦユニット２０は、ＡＤＦユニット本体２１の正面に向って左側（以下、単に「左側」とし、反対側を「右側」とする）の側部には、原稿給紙トレイ２２上に載置された原稿Ｄの搬送経路を内部に有する給紙本体部２１Ａを有している。給紙本体部２１Ａの下部には、内部に反転経路２１ｐが形成された反転経路形成部２１Ｂが、給紙本体部２１Ａから右側方に向って水平状態で延出した状態で設けられている。
【００２６】
ＡＤＦユニット本体２１の給紙本体部２１Ａおよび反転経路形成部２１Ｂは、スキャナユニット１０の上面をほぼ全域にわたって覆うように一体に構成されている。原稿給紙トレイ２２は、反転経路形成部２１Ｂの上方において、右側の側部が上側に位置するように傾斜した状態で、給紙本体部２１Ａの上部に取り付けられている。原稿給紙トレイ２２には、複数枚の原稿が積み重ねられた状態で載置可能になっている。
【００２７】
ＡＤＦユニット２０は、スキャナユニット１０に原稿の片面だけを読み取らせる片面読取モードと、原稿を反転させて原稿の両面（表面と裏面）をスキャナユニット１０に順番に読み取らせる両面読取モードとを選択的に実行可能に構成されており、片面読取モードの場合には、原稿が、原稿給紙トレイ２２上に、スキャナユニット１０にて読み取られる原稿面を上方に向けた状態で載置される。
【００２８】
原稿給紙トレイ２２には、図１に示すように、載置される原稿Ｄを、搬送方向とは直交する方向の中央部が、給紙本体部２１Ａの内部の搬送経路における幅方向(原稿Ｄの搬送方向と直交する方向)の中央部に一致するように位置決めする一対の位置決めガイド２２ａが設けられている。一対の位置決めガイド２２ａは、それぞれ載置された原稿Ｄの搬送方向と直交する方向の両側の側縁に沿うように直線状に配置されている。
【００２９】
各位置決めガイド２２ａは、相互に接近および離間するようにスライド可能になっており、いずれか一方の位置決めガイド２２ａを他方の位置決めガイド２２ａに接近および離間する方向にそれぞれスライド操作すると、他方の位置決めガイド２２ａが、操作された方向とは反対方向に等しい距離だけスライドする構成になっている。従って、原稿給紙トレイ２２上に原稿Ｄを載置して、各位置決めガイド２２ａを、載置された原稿Ｄの搬送方向と直交する方向の両側の側縁にそれぞれ当接するように操作すると、原稿Ｄは、搬送方向に沿った状態に位置決めされる。
【００３０】
原稿給紙トレイ２２は、例えば、最大Ａ３サイズの原稿Ｄが、その長手方向を搬送方向に沿わせた状態で載置できるように構成されている。また、原稿給紙トレイ２２に、異なるサイズの複数枚の原稿Ｄを載置して原稿画像を読み取る場合には、正面側（操作者の手前側）に位置する一方の位置決めガイド２２ａに、それぞれの原稿Ｄの側縁を、それぞれ位置決めすることによって、載置された各原稿Ｄを給紙本体部２１Ａ内の搬送経路に自動搬送できるようになっている。
【００３１】
原稿給紙トレイ２２上の原稿は、ピックアップローラ２１ｃによって、第１搬送経路２１ｄに供給される。ピックアップローラ２１ｃは、相互に圧接された一対のローラ部を有しており、両ローラ部が回転されることによって、両ローラ部の間を１枚の原稿Ｄが通過する。ピックアップローラ２１ｃは、給紙部モータ２５ａによって回転駆動されるようになっている。
【００３２】
給紙本体部２１Ａ内におけるピックアップローラ２１ｃに近接した位置には、原稿判定機構３０が設けられている。原稿判定機構３０は、ピックアップローラ２１ｃによって第１搬送経路２１ｄ内を搬送される原稿Ｄが、綴じ穴を有する穴あき原稿（ルーズリーフ原稿またはパンチ穴原稿）であるか、綴じ穴のない通常原稿であるかを判定するように構成されている。原稿判定機構３０の構成については後述する。
【００３３】
第１搬送経路２１ｄにおける原稿判定機構３０よりも搬送方向下流側には、第１搬送経路２１ｄ内を搬送される原稿Ｄを検出する第１原稿センサ２６ａが設けられている。第１原稿センサ２６ａは、例えば、反射型の光学センサによって構成されており、図３に示すように、ピックアップローラ２１ｃによって搬送される原稿Ｄを、原稿判定機構３０における原稿の検出領域を通過した後の所定のタイミングで検出するように、原稿判定機構３０から予め設定された所定の距離だけ離れて配置されている。
【００３４】
図２に示すように、給紙本体部２１Ａ内における左側の側部には第１搬送ローラ２１ｉが設けられており、第１搬送経路２１ｄにおける第１原稿センサ２６ａによる検出領域を通過した原稿Ｄは、第１搬送ローラ２１ｉにまで搬送される。第１搬送ローラ２１ｉは、相互に圧接された一対のローラ部を有しており、搬送部モータ２５ｂによって回転駆動されるようになっている。
【００３５】
第１搬送ローラ２１ｉは、下方に向って円弧状に湾曲した第２搬送経路２１ｅ内に原稿を搬送する。第２搬送経路２１ｅ内には第２搬送ローラ２１ｊが設けられている。第２搬送ローラ２１ｊも、相互に圧接された一対のローラ部を有しており、レジスト部モータ２５ｄによって回転駆動されるようになっている。
第２搬送ローラ２１ｊよりも原稿Ｄの搬送方向下流側には、第１読取ローラ２１ｆが設けられており、第２搬送ローラ２１ｊを通過した原稿Ｄは、第１読取ローラ２１ｆへと搬送される。第１読取ローラ２１ｆも、相互に圧接された一対のローラ部を有しており、読取部モータ２５ｃによって回転駆動される。
【００３６】
第２搬送ローラ２１ｊから第１読取ローラ２１ｆへ搬送される原稿Ｄは、第２原稿センサ２６ｂによって検出されるようになっている。第２原稿センサ２６ｂも、例えば、反射型の光学センサによって構成されている。
第１読取ローラ２１ｆを通過した原稿は、スキャナユニット１０の上面に設けられたスリットガラス（プラテンガラス）１６上を通過する。スキャナユニット１０は、原稿がスリットガラス１６上を通過する間に、スリットガラス１６に対向する原稿面の画像を読み取る。画像が読み取られた原稿Ｄは、相互に圧接された一対のローラ部を有する第２読取ローラ２１ｇを介して、第１分岐ガイド２１ｈへと搬送される。なお、第２読取ローラ２１ｇは、第１読取ローラ２１ｆを回転駆動する読取部モータ２５ｃによって回転駆動される。
【００３７】
第１分岐ガイド２１ｈは、片面読取モードの場合には、原稿を、相互に圧接された一対のローラ部を有するレジストローラ２１ｋを介して、第２分岐ガイド２１ｍへと搬送する。第２分岐ガイド２１ｍは、原稿を、相互に圧接された一対のローラ部を有する排紙ローラ２１ｑへ搬送し、排紙ローラ２１ｑは、搬送される原稿を、反転経路形成部２１Ｂ上に設けられた原稿排出部上に排出する。
【００３８】
第２分岐ガイド２１ｍの上方には、第２分岐ガイド２１ｍ上を搬送される原稿Ｄを検出する第３原稿センサ２６ｃが設けられている。第３原稿センサ２６ｃも、例えば、反射型の光学センサによって構成されている。
レジストローラ２１ｋは、第２搬送ローラ２１ｊを回転駆動するレジスト部モータ２５ｄによって回転駆動される。排紙ローラ２１ｑは、排紙部モータ２５ｅによって回転駆動される。
【００３９】
第１分岐ガイド２１ｈは、両面読取モードの場合には、原稿Ｄを、レジストローラ２１ｋを介して、第２分岐ガイド２１ｍへと搬送する。第２分岐ガイド２１ｍは、搬送される原稿を、原稿給紙トレイ２２の下面に沿って配置された反転ガイド（図示せず）上に搬送する。レジストローラ２１ｋは、原稿の後端部が通過する直前に逆転駆動される。これにより、原稿Ｄはスイッチバックして、第３搬送経路２１ｎを通って、第１搬送ローラ２１ｉへと搬送される。
【００４０】
第３搬送経路２１ｎ内には、第３搬送経路２１ｎ内を第１搬送ローラ２１ｉへ向かって搬送される原稿Ｄを検出する第４原稿センサ２６ｄが設けられている。第４原稿センサ２６ｄも、例えば、反射型の光学センサによって構成されている。
第３搬送経路２１ｎを通って第１搬送ローラ２１ｉへ搬送された原稿Ｄは、表裏を反転した状態で第２搬送経路２１ｅを、再度、搬送されて、第１読取ローラ２１ｆによってスリットガラス１６の上方へと搬送される。
【００４１】
スリットガラス１６の上方を原稿Ｄが通過する間には、スリットガラス１６に対向する原稿面（第２面）の画像がスキャナユニット１０によって読み取られる。画像が読み取られた原稿Ｄは、第１分岐ガイド２１ｈによって、第４搬送経路２１ｓを通って、反転ローラ２１ｚへ搬送される。反転ローラ２１ｚへ搬送された原稿Ｄは、一旦、反転経路形成部２１Ｂ内の反転経路２１ｐへと搬送された後に、第２分岐ガイド２１ｍに案内されて排紙ローラ２１ｑへ搬送され、排紙ローラ２１ｑによって、反転経路形成部２１Ｂ上の原稿排出部に排出される。
【００４２】
＜原稿判定機構の構成＞
図４は、原稿判定機構３０の構成を説明するための正面模式図である。なお、図４において、搬送方向の先端側または後端側の側縁部に綴じ穴が設けられた原稿Ｄが搬送される場合の綴じ穴と原稿判定機構３０との位置関係についても示している。
原稿判定機構３０は、第１搬送経路２１ｄ内における原稿Ｄの搬送域の下方において、原稿Ｄの搬送方向と直交する幅方向に沿って直線状に配置された導電部材３１と、この導電部材３１に対して原稿Ｄの搬送域の上方において対向配置された第１検出体３２および第２検出体３３とを有している。第１検出体３２および第２検出体３３は、相互に分離された状態で、導電部材３１と平行な一直線を形成するように配置されている。なお、導電部材３１はグランドレベルになっている。
【００４３】
第１検出体３２および第２検出体３３は、それぞれ、第１搬送経路２１ｄの幅方向に沿って直線状に延びる第１出力部３２ａおよび第２出力部３３ａと、第１出力部３２ａおよび第２出力部３３ａのそれぞれにおける導電部材３１に対向する側面に、下方に向って延出するように設けられた第１導電ブラシ３２ｂおよび第２導電ブラシ３３ｂとを有している。
【００４４】
第１導電ブラシ３２ｂおよび第２導電ブラシ３３ｂは、それぞれ、第１出力部３２ａおよび第２出力部３３ａの長手方向の略全域にわたって設けられており、第１搬送経路２１ｄ内に原稿Ｄが搬送されない状態では、それぞれの先端部が導電部材３１に電気的に接触した状態になっている。
第１出力部３２ａおよび第２出力部３３ａは、それぞれ所定の電気抵抗値を有しており、第１導電ブラシ３２ｂおよび第２導電ブラシ３３ｂのそれぞれに電気的に接続されている。第１出力部３２ａおよび第２出力部３３ａには、電源からプルアップ抵抗を介して所定の電圧がそれぞれ印加されている。
【００４５】
第１出力部３２ａに所定の電圧が印加されると、第１出力部３２ａは、第１導電ブラシ３２ｂを介して導電部材３１に電流が流れるが、第１導電ブラシ３２ｂが略全長にわたって導電部材３１に接触している場合には、その一部が導電部材３１に接触している場合（一部導電状態）の方が第１出力部３２ａにおける電気抵抗値が小さくなるので、電源〜導電部材３１間の電圧が低下することになる。
【００４６】
第１出力部３２ａは、長手方向の中央部が、第１搬送経路２１ｄにおける幅方向の中央線ＣＬに一致するように配置されている。第２出力部３３ａは、第１出力部３２ａよりも短くなっており、第１出力部３２ａに近接した状態で配置されている。
第１出力部３２ａおよび第２出力部３３ａのそれぞれは、第１導電ブラシ３２ｂおよび第２導電ブラシ３３ｂが導電部材３１にそれぞれ接触した状態では、導電部材３１と導電状態になる。
【００４７】
第１検出体３２および第２検出体３３のそれぞれ長さ、第１搬送経路２１ｄ内における位置は、ルーズリーフ原稿およびパンチ穴原稿に設けられた綴じ穴（ルーズリーフ穴およびパンチ穴）の位置に基づいて、以下のように設定されている。
なお、以下においては、原稿給紙トレイ２２に載置された原稿Ｄにおける搬送方向とは直交する幅方向が、第１搬送経路２１ｄの幅方向に一致した状態で原稿Ｄが第１搬送経路２１ｄ内を搬送される場合について、また、ルーズリーフ原稿およびパンチ穴原稿は、ルーズリーフ穴およびパンチ穴が形成された側縁部が、搬送方向の先端側または後端側になった状態で第１搬送経路２１ｄ内を搬送される場合について説明する。
【００４８】
ルーズリーフ原稿においては、一方の側縁部に形成される綴じ穴は、通常、６ｍｍ±０．５ｍｍ程度（以下の説明では６ｍｍとする）の直径になっており、９．５ｍｍ±１．０ｍｍ程度（以下の説明では１０ｍｍとする）の間隔をあけた状態で側縁部の長手方向に沿って一列に配列されている。これに対して、パンチ穴原稿では、それぞれのパンチ穴の直径が６ｍｍ±０．５ｍｍ程度（以下の説明では６ｍｍとする）であるが、２個のパンチ穴が形成される場合と、３個のパンチ穴が形成される場合とでは、パンチ穴の間隔が異なっている。
【００４９】
３個のパンチ穴が形成される場合には、中央のパンチ穴が、原稿Ｄの一方の側縁部における長手方向の中央部に形成され、その両側のパンチ穴が、中央のパンチ穴に対して１０８ｍｍの間隔をあけてそれぞれ形成されている。
２個のパンチ穴が形成される場合には、各パンチ穴は、原稿Ｄの一方の側縁部における長手方向の中央位置（搬送経路の幅方向の中央線ＣＬに一致）に対して、相互に８０ｍｍまたは７０ｍｍの等しい間隔をあけて配置されている。４個のパンチ穴が形成される場合には、２個のパンチ穴のさらに両側に、各パンチ穴に対して８０ｍｍの間隔をあけてパンチ穴がそれぞれ配置される。
【００５０】
本実施形態では、原稿判定機構３０を構成する第１検出体３２の第１出力部３２ａの長さは、パンチ穴が形成されたパンチ穴原稿が、パンチ穴が形成された側縁部を第１搬送経路２１ｄの幅方向に沿った状態として搬送される場合に、第１出力部３２ａに設けられた第１導電ブラシ３２ｂの一部が、２個または４個のパンチ穴が形成されたパンチ穴原稿が通過する際に、中央部の２個のパンチ穴を通って導電部材３１に接触するように、２つのパンチ穴の距離に相当する長さ８０ｍｍと、２つのパンチ穴の直径分の長さとの合計の長さよりも若干長くなっている。第１出力部３２ａは、９０〜１００ｍｍ程度の長さになっている。
【００５１】
このような長さになっていることにより、第１出力部３２ａの第１導電ブラシ３２ｂは、２個または４個のパンチ穴が形成されたパンチ穴原稿が、パンチ穴を有する側縁部を第１搬送経路２１ｄの幅方向に沿った状態で搬送されると、幅方向の中央部において相互に隣接する２個のパンチ穴に対応する位置に存在する第１導電ブラシ３２ｂの一部が進入する。また、３個のパンチ穴が形成されたパンチ穴原稿が搬送される場合には、幅方向の中央部に形成された１個のパンチ穴に進入する。さらに、ルーズリーフ原稿の場合には、幅方向の中央部に形成された少なくとも５個のルーズリーフ穴内に進入することになる。
【００５２】
第１出力部３２ａの側方に配置された第２出力部３３ａは、２個または４個のパンチ穴が形成されたパンチ穴原稿が搬送される場合に、中央部の２個のパンチ穴の外側の領域であって、３個のパンチ穴が形成されたパンチ穴原稿における中央のパンチ穴と外側の一方のパンチ穴との間の長さ６８ｍｍの領域内において穴にかからない位置に対向するように、４４〜４８ｍｍ程度の長さに形成されている。
【００５３】
第２出力部３３ａをこのような長さとすることにより、第２出力部３３ａの長手方向の略全長にわたって設けられた第２導電ブラシ３３ｂは、２個または４個のパンチ穴が形成されたパンチ穴原稿および３個のパンチ穴が形成されたパンチ穴原稿のいずれが搬送されても、それぞれのパンチ穴内に進入するおそれがない。これに対して、ルーズリーフ原稿が搬送される場合には、第２導電ブラシ３３ｂは、少なくとも１個のルーズリーフ穴内に進入することになる。
【００５４】
このような構成の原稿判定機構３０が配置された第１搬送経路２１ｄ内に、第１搬送経路２１ｄの幅方向に沿った側縁部（搬送方向の先端側の側縁部または後端側の側縁部）に綴じ穴が形成された原稿Ｄが搬送されると、原稿判定機構３０における導電部材３１上を原稿Ｄが通過する際に、図５に示すように、第１導電ブラシ３２ｂ（または第２導電ブラシ３３ｂ）は、原稿Ｄにおける綴じ穴が形成されていない部分においては湾曲状態になり、湾曲した部分が導電部材３１に対して非接触状態（非導電状態）になる。
【００５５】
これに対して、第１導電ブラシ３２ｂ（または第２導電ブラシ３３ｂ）の一部が、原稿Ｄに形成された綴じ穴内に進入すると、第１導電ブラシ３２ｂ（または第２導電ブラシ３３ｂ）の先端部分が綴じ穴内を通過して導電部材３１に接触した状態になる。これにより、第１出力部３２ａ（または第２出力部３３ａ）は、導電部材３１に接触した第１導電ブラシ３２ｂ（または第２導電ブラシ３３ｂ）によって、グランドレベルの導電部材３１と導電状態になる。
【００５６】
このような状態になると、第１出力部３２ａおよび第２出力部３３ａのそれぞれは、第１導電ブラシ３２ｂおよび第２導電ブラシ３３ｂと導電部材３１とが導電状態になっていることを示す出力電圧になる。従って、第１出力部３２ａおよび第２出力部３３ａの出力電圧に基づいて、搬送される原稿が、パンチ穴が形成されたパンチ穴原稿、ルーズリーフ穴が形成されたルーズリーフ原稿、綴じ穴が形成されていない通常原稿のいずれであるかを判定することができる。
【００５７】
＜スキャナユニットの構成＞
図２に示すように、スキャナユニット１０は、扁平な長方体形状に形成されたハウジング１１を備えており、このハウジング１１の上面に、ＡＤＦユニット２０の第１読取ローラ２１ｆと第２読取ローラ２１ｇとの間に対向するようにローラ軸方向に沿ってスリットガラス１６が配置されている。また、スリットガラス１６の右側の側方には、長方形状のプラテンガラス１８が設けられている。プラテンガラス１８は、スリットガラス１６のローラ軸方向（主走査方向）長さと同程度の主走査方向長さを有するとともに、スリットガラス１６に近接した位置からハウジング１１の右側の端部近傍にわたる左右方向（副走査方向）長さを有している。
【００５８】
ハウジング１１の内部には、図２に矢印Ｘで示す副走査方向にスライド可能に構成された第１スライダー１２が設けられており、この第１スライダー１２に、線状光源１２ａが主走査方向に沿った状態で搭載されている。第１スライダー１２は、通常は、スリットガラス１６とプラテンガラス１８との間のホームポジションに位置されており、ＡＤＦユニット２０によって原稿が搬送される場合には、スキャナモータ４３によって、スリットガラス１６の下方のシートスルーポジションに移動されて停止される。
【００５９】
これに対して、プラテンガラス１８上の原稿Ｄを読み取る場合には、第１スライダー１２は、スキャナモータ４３によって、プラテンガラス１８に沿って副走査方向に往復移動するようになっている。
第１スライダー１２には、スリットガラス１６上を通過する原稿Ｄまたはプラテンガラス１８上に載置された原稿Ｄからの反射光を、矢印Ｘで示す方向とは反対方向に略直角に反射する第１ミラー１２ｂが設けられている。第１スライダー１２よりも左側の側方には、第２スライダー１３が設けられている。第２スライダー１３には、第１ミラー１２ｂにて反射された光を、矢印Ｘ方向に反転させるように対になった第２ミラー１３ａおよび第３ミラー１３ｂが搭載されている。
【００６０】
第２スライダー１３は、プラテンガラス１８上に載置された原稿Ｄの画像を読み取る場合には、スキャナモータ４３によって、第１スライダー１２の移動に同期して、第１スライダー１２の速度の１／２の速度で第１スライダー１２と同方向に移動される。第２ミラー１３ａおよび第３ミラー１３ｂによって矢印Ｘ方向に反転された光は、縮小レンズ（図示せず）を介して画像読取手段としてのＣＣＤ１７に照射される。
【００６１】
＜画像読取装置における制御系の構成＞
図６は、画像読取装置Ｂにおける制御系の主要部を示すブロック図である。画像読取装置Ｂのスキャナユニット１０には、スキャナモータ４３等を制御するスキャナＣＰＵ４１が設けられており、ＡＤＦユニット２０には、原稿の搬送等を制御するＡＤＦ−ＣＰＵ５１が設けられている。スキャナＣＰＵ４１と、ＡＤＦ−ＣＰＵ５１とは、相互にデータの送受信ができるように構成されている。
【００６２】
ＡＤＦ−ＣＰＵ５１には、原稿判定機構３０からの出力電圧が入力されるようになっている。原稿判定機構３０における第１出力部３２ａおよび第２出力部３３ａのそれぞれは、プルアップ抵抗３５ａおよび３５ｂを介して電源に接続されており、プルアップ抵抗３５ａおよび３５ｂと第１出力部３２ａおよび第２出力部３３ａにおける抵抗体とのそれぞれの接続点の電位が第１出力部３２ａおよび第２出力部３３ａ（第１検出体３２および第２検出体３３）それぞれの出力電圧Ｖ３２およびＶ３３として、ＡＤＦ−ＣＰＵ５１に与えられている。
【００６３】
前述したように、原稿判定機構３０の導電部材３１はグランドレベルになっており、第１導電ブラシ３２ｂおよび第２導電ブラシ３３ｂのそれぞれは、原稿が第１搬送経路２１ｄに搬送されると、原稿の種類に応じて導電部材３１との接触状態が変化する。
なお、本実施形態では、第１導電ブラシ３２ｂおよび第２導電ブラシ３３ｂが導電部材３１に対して導電状態、一部導電状態、非導電状態のいずれであるかに基づいて原稿の種類を判定することから、図６においては、第１導電ブラシ３２ｂおよび第２導電ブラシ３３ｂをそれぞれスイッチとして示している。
【００６４】
プルアップ抵抗３５ａおよび３５ｂは、第１検出体３２および第２検出体３３に設けられた第１導電ブラシ３２ｂおよび第２導電ブラシ３３ｂが導電部材３１に対して全体にわたって非接触状態（非導電状態）になった場合に、第１検出体３２および第２検出体３３の出力電圧Ｖ３２およびＶ３３が、それぞれ所定の電圧（以下、この電圧値をオフ電圧とする）になるように、抵抗値が設定されている。
【００６５】
従って、第１検出体３２および第２検出体３３に設けられた第１導電ブラシ３２ｂおよび第２導電ブラシ３３ｂの全体が導電部材３１と接触した導電状態になっている場合には、第１検出体３２および第２検出体３３の出力電圧Ｖ３２およびＶ３３は、オフ電圧よりも低い所定の電圧（以下、この電圧値を基準電圧とする）になる。
また、第１導電ブラシ３２ｂおよび第２導電ブラシ３３ｂの一部が、原稿Ｄの綴じ穴を通って導電部材３１に接触して導電状態（一部導電状態）になると、第１検出体３２および第２検出体３３の出力電圧Ｖ３２およびＶ３３が、それぞれ、基準電圧よりも高く、オフ電圧よりも低い所定の電圧（以下、この電圧値をオン電圧とする）になる。
【００６６】
ＡＤＦ−ＣＰＵ５１は、原稿判定機構３０からの出力電圧Ｖ３２およびＶ３３をＡ／Ｄ変換して、変換されたデジタル値に基づいて、原稿が、パンチ穴原稿、ルーズリーフ原稿、通常原稿のいずれであるかを判定する。
また、ＡＤＦ−ＣＰＵ５１は、ＡＤＦユニット本体２１に設けられた給紙部モータ２５ａ、搬送部モータ２５ｂ、読取部モータ２５ｃ、レジスト部モータ２５ｄ、排紙部モータ２５ｅのそれぞれを駆動するための各モータ駆動ＩＣ５２〜５６を制御するようになっている。
【００６７】
ＡＤＦ−ＣＰＵ５１には、さらに、ＡＤＦユニット本体２１に設けられた第１原稿センサ２６ａ、第２原稿センサ２６ｂ、第３原稿センサ２６ｃ、第４原稿センサ２６ｄの出力がそれぞれ与えられており、これら第１〜第４の原稿センサ２６ａ〜２６ｄの出力に基づいてモータ駆動ＩＣ５２〜５６を制御するようになっている。この場合、ＡＤＦ−ＣＰＵ５１は、搬送される原稿が、ルーズリーフ原稿、パンチ穴原稿、通常原稿のいずれであるかの判定結果に基づいて、後述するように、モータ駆動ＩＣ５２〜５６の制御タイミング、および、第１分岐ガイド２１ｈおよび第２分岐ガイド２１ｍの切り替えタイミングを制御するようになっている。
【００６８】
スキャナＣＰＵ４１は、画像読取時にモータ駆動ＩＣ４２を制御することによって、第１スライダー１２および第２スライダー１３が所定方向に所定の速度で移動するようにスキャナモータ４３を駆動する。また、スキャナＣＰＵ４１は、ＣＣＤ１７にて読み取られた画像データを処理する画像処理部４４を制御するようになっている。
画像処理部４４は、ＣＣＤ１７にて得られた画像データに対して、シェーディング補正、シャープネス調整、ＨＶＣ調整、濃度補正等を行うとともに、スキャナＣＰＵ４１を介してＡＤＦ−ＣＰＵ５１から原稿判定結果を取得して、後述するように、穴あき原稿における綴じ穴が形成される部分に画像が形成されないように処理するマスキング補正を行う。
【００６９】
＜原稿判定制御＞
図７は、ＡＤＦ−ＣＰＵ５１が実行する原稿判定制御の処理を説明するためのフローチャートである。ＡＤＦ−ＣＰＵ５１は、原稿給紙トレイ２２に原稿Ｄが載置された状態で原稿画像の読み取りが指示されると、ピックアップローラ２１ｃを回転駆動させる（図７のステップＳ１参照、以下同様）。次いで、原稿判定機構３０における第１検出体３２および第２検出体３３のそれぞれにおける第１検出体３２および第２検出体３３の出力電圧Ｖ３２およびＶ３３のモニタを開始する。
【００７０】
この場合、原稿判定機構３０に原稿Ｄが搬送されていない状態では、第１導電ブラシ３２ｂおよび第２導電ブラシ３３ｂの全体が導電部材３１に接触した導電状態になっており、第１検出体３２および第２検出体３３のそれぞれの出力電圧Ｖ３２およびＶ３３は基準電圧になっている。
このような状態で、原稿Ｄが原稿判定機構３０に搬送されると、搬送される原稿の先端側の側縁部（穴あき原稿の場合には、搬送される原稿Ｄの先端側の側縁から綴じ穴までの部分）によって、第１検出体３２および第２検出体３３のそれぞれの第１導電ブラシ３２ｂおよび第２導電ブラシ３３ｂは、全体にわたって導電部材３１と導電状態を解消し、非導電状態になる。これにより、第１検出体３２および第２検出体３３のそれぞれの出力電圧Ｖ３２およびＶ３３はオフ電圧になる。
【００７１】
ＡＤＦ−ＣＰＵ５１は、第１検出体３２の出力電圧Ｖ３２がオフ電圧になるまで待機状態になり（ステップＳ２）、出力電圧Ｖ３２がオフ電圧になると（ステップＳ２において「ＹＥＳ」）、タイマーによる時間の計測を開始し（ステップＳ３）、第１検出体３２の出力電圧Ｖ３２がオン電圧になるまで待機状態になる（ステップＳ４）。
第１検出体３２は、搬送される原稿Ｄがルーズリーフ原稿、パンチ穴原稿のいずれの場合にも、第１導電ブラシ３２ｂが綴じ穴（ルーズリーフ穴またはパンチ穴）を通って、導電部材３１と一部導電状態になり、出力電圧Ｖ３２は、オフ電圧よりも低下したオン電圧になる。
【００７２】
その後、第１検出体３２の出力電圧Ｖ３２がオン電圧になると（ステップＳ４にて「ＹＥＳ」）、タイマーによる時間の計測を停止して、計測された時間ΔＴをＡＤＦ−ＣＰＵ５１に設けられた記憶部に記憶する。また、これと同時に、タイマーをリセットして、再度、タイマーによる時間の計測を開始する（ステップＳ５）。
このように、ＡＤＦ−ＣＰＵ５１は、出力電圧Ｖ３２がオン電圧になることにより、第１搬送経路２１ｄ内を搬送される原稿に綴じ穴が形成されていると判定し、タイマーによって計測された時間ΔＴを、綴じ穴先端検出時間として記憶する。この綴じ穴先端検出時間ΔＴは、原稿の先端縁から綴じ穴までの距離を搬送原稿Ｄが搬送するために必要な時間である。
【００７３】
第１検出体３２の出力電圧Ｖ３２がオン電圧（一部導電状態）になると、ＡＤＦ−ＣＰＵ５１は、第２検出体３３の出力電圧Ｖ３３が、オフ電圧よりも低下したオン電圧（一部導電状態）になっているかを判定する（ステップＳ６）。第２検出体３３の出力電圧Ｖ３３は、ルーズリーフ原稿の搬送時にのみ一部導電状態になってオン電圧を出力することから、出力電圧Ｖ３３がオン電圧になっている場合には（ステップＳ６にて「ＹＥＳ」）、搬送されている原稿をルーズリーフ原稿と判定して、その判定結果をＡＤＦ−ＣＰＵ５１の記憶部に記憶する（ステップＳ７）。
【００７４】
また、出力電圧Ｖ３３がオン電圧（一部導電状態）になっていない場合には（ステップＳ６にて「ＮＯ」）、搬送されている原稿は、綴じ穴を有するものの、ルーズリーフ原稿でないことからパンチ穴原稿と判定し、その判定結果をＡＤＦ−ＣＰＵ５１の記憶部に記憶する（ステップＳ８）。
ステップＳ７におけるルーズリーフ原稿の記憶、または、ステップＳ８におけるパンチ穴原稿の記憶が終了すると、第１検出体３２の出力電圧Ｖ３２がオフ電圧（非導電状態）になるまで待機状態になる（ステップＳ９）。この場合、第１検出体３２の第１導電ブラシ３２ｂが綴じ穴を通って導電部材３１と一部導電状態になっており、その後に、第１導電ブラシ３２ｂが綴じ穴の後端縁によって導電部材３１と導電状態を解消して非導電状態になると、第１検出体３２の出力電圧Ｖ３２がオフ電圧になる。
【００７５】
第１検出体３２の出力電圧Ｖ３２がオフ電圧になると（ステップＳ９にて「ＹＥＳ」）、タイマーによる時間の計測を停止して、計測された時間Ｔ１を、綴じ穴後端検出時間として、ＡＤＦ−ＣＰＵ５１に設けられた記憶部に記憶する（ステップＳ１０）。この綴じ穴後端検出時間Ｔ１は、原稿に設けられた綴じ穴（ルーズリーフ穴またはパンチ穴）の搬送方向に沿った長さを、搬送される原稿Ｄが通過するために必要な時間である。
【００７６】
このようにして、搬送される原稿Ｄがルーズリーフ原稿、パンチ穴原稿のいずれであるかが判定されるとともに、原稿Ｄの先端縁からルーズリーフ穴またはパンチ穴の先端縁までの長さを原稿が通過するために必要な時間ΔＴと、ルーズリーフ穴またはパンチ穴の搬送方向に沿った長さを原稿Ｄが通過するために必要な時間Ｔ１とが記憶部に記憶される。
これに対して、ステップＳ４において、第１検出体３２の出力電圧Ｖ３２が、綴じ穴によって電圧降下したオン電圧（一部導電状態）にならない場合には（ステップＳ４にて「ＮＯ」）、所定時間が経過するまで待機状態になり（ステップＳ１１）、所定時間が経過しても出力電圧Ｖ３２がオン電圧（一部導電状態）にならない場合には（ステップＳ１１にて「ＹＥＳ」）、搬送されている原稿を通常原稿と判定して、その判定結果をＡＤＦ−ＣＰＵ５１の記憶部に記憶する（ステップＳ１２）。この場合の所定時間は、綴じ穴が形成された原稿の先端縁から綴じ穴が形成された部分を通過するまでに要する時間よりも長い時間である。
【００７７】
ステップＳ１０またはステップＳ１２における処理が終了すると、以後、原稿Ｄが搬送される毎に、同様の処理が実行されて、搬送される原稿Ｄが、ルーズリーフ原稿、パンチ穴原稿、通常原稿のいずれであるかを判定する。
ＡＤＦ−ＣＰＵ５１は、搬送される原稿Ｄが、ルーズリーフ原稿またはパンチ穴原稿と判定されると、図８に示すように、その原稿Ｄの先端縁が第１原稿センサ２６ａ〜第４原稿センサ２６ｄのそれぞれにおいて検出された場合に、検出された時点から記憶部に記憶された時間ΔＴが経過すると、その後、時間Ｔ１が経過するまでは、第１原稿センサ２６ａ〜第４原稿センサ２６ｄからの出力信号を無効にする。
【００７８】
これにより、搬送される原稿Ｄの綴じ穴によって第１原稿センサ２６ａ〜第４原稿センサ２６ｄは、綴じ穴によって原稿Ｄを検出しない状態に変化しても、搬送される原稿Ｄの後端縁が検出されたものと誤判定するおそれがない。
従って、ルーズリーフ原稿またはパンチ穴原稿の場合には、その後に、第１原稿センサ２６ａ〜第４原稿センサ２６ｄのそれぞれが搬送原稿Ｄの非検出状態に変化すると、即座に搬送原稿Ｄの後端縁が検出されたものと判定し、第１分岐ガイド２１ｈ、第２分岐ガイド２１ｍの切り替え、次の原稿Ｄの搬送の開始等の制御を直ちに実行する。
【００７９】
また、通常原稿の場合には、原稿Ｄの先端縁が第１原稿センサ２６ａ〜第４原稿センサ２６ｄのそれぞれにおいて検出されると、所定時間が経過するまで待機することなく、第１分岐ガイド２１ｈ、第２分岐ガイド２１ｍの切り替え、次の原稿Ｄの搬送の開始等の制御を直ちに実行する。
さらに、ＡＤＦ−ＣＰＵ５１は、記憶された原稿Ｄの情報（パンチ穴原稿、ルーズリーフ原稿、通常原稿）を、記憶された時間ΔＴ（綴じ穴先端検出時間）および時間Ｔ１（綴じ穴後端位置時間）とともに、スキャン−ＣＰＵ４１に出力する。
【００８０】
スキャン−ＣＰＵ４１では、ＡＤＦ−ＣＰＵ５１からの綴じ穴に関する情報に基づいて、原稿がパンチ穴原稿、ルーズリーフ原稿、通常原稿のいずれであるかを確認し、それぞれの原稿に適した画像形成動作を実行する。
すなわち、原稿Ｄが通常原稿でない場合には、綴じ穴先端位置時間ΔＴに基づいて、原稿Ｄの先端縁から綴じ穴の先端位置までの距離を算出するとともに、綴じ穴先端位置時間ΔＴおよび綴じ穴後端位置時間Ｔ１に基づいて、綴じ穴の原稿搬送方向に沿った長さを算出する。そして、原稿Ｄの画像データをプリントアウトする際に、綴じ穴の位置に対応する画像データを、その綴じ穴が無いように画像処理を施して、綴じ穴が画像データとしてプリントアウトされることを防止する。これにより、プリントアウトされた画像には、綴じ穴の影等が形成されるおそれがなく、高画質の画像が得られる。
【００８１】
［実施形態２］
図９は、本実施形態における原稿判定機構４０の構成を示す正面模式図である。なお、図９において、搬送方向の先端側または後端側の側縁部に綴じ穴が設けられた原稿Ｄが搬送される場合の綴じ穴と原稿判定機構４０との関係についても示している。
この原稿判定機構４０は、原稿Ｄの搬送方向とは直交する幅方向に沿って配置された導電部材４４に対して、第１検出体４１、第２検出体４２、第３検出体４３の３つの検出体が、原稿Ｄの搬送域を挟んで対向した状態で、導電部材４４とは平行に一直線に並んで配置されている。
【００８２】
第１検出体４１、第２検出体４２、第３検出体４３のそれぞれは、第１出力部４１ａおよび第１導電ブラシ４１ｂ、第２出力部４２ａおよび第２導電ブラシ４２ｂ、第３出力部４３ａおよび第３導電ブラシ４３ｂを有しており、第１導電ブラシ４１ｂ、第２導電ブラシ４２ｂ、第３導電ブラシ４３ｂのそれぞれが導電部材４４に接触することによって、第１出力部４１ａ、第２出力部４２ａ、第３出力部４３ａのそれぞれが導電部材４４と導電状態になる。
【００８３】
本実施形態では、第１検出体４１および第３検出体４３のそれぞれは、第１導電ブラシ４１ｂおよび第３導電ブラシ４３ｂが、ルーズリーフ穴を介して導電部材と一部導電状態になる場合と、パンチ穴を介して導電部材と一部導電状態になる場合と、通常原稿の搬送時における非導電状態になる場合とのそれぞれにおいて、異なる電圧を出力するようになっており、従って、第１検出体４１および第３検出体４３のそれぞれのみによっても、ルーズリーフ原稿と、パンチ穴原稿と、通常原稿との判定が可能になっている。
【００８４】
また、本実施形態の原稿判定機構４０では、原稿給紙トレイ２２上に、異なるサイズの複数種類の原稿Ｄが載置されて、それぞれの原稿が搬送される場合にも、各原稿Ｄが、パンチ穴原稿、ルーズリーフ穴原稿、通常原稿のいずれであるかを判定することができるように構成されている。
なお、ＡＤＦユニット２０の原稿給紙トレイ２２に異なるサイズの原稿Ｄが載置される場合には、最も大きなサイズの原稿Ｄの搬送方向とは直交する方向に沿った方向（幅方向）の両側の側縁が各位置決めガイド２２ａにて位置決めされるように、各位置決めガイド２２ａが操作される。この場合、この原稿Ｄよりも小さなサイズの他の原稿Ｄは、正面側（操作者の手前側）に位置する一方の位置決めガイド２２ａにて、当該正面側に位置する側縁が位置決めされた状態とされる。
【００８５】
図９に示す原稿判定機構４０では、異なるサイズの原稿が搬送される場合においても、それぞれの原稿が、２個のパンチ穴が設けられたパンチ穴原稿と、ルーズリーフ原稿と、通常原稿とのいずれであるかの判定が可能になっている。また、ＬＴＳ（レターサイズ）用紙（８．５×１１インチ）を用いた原稿（以下、ＬＴＳ原稿とする）およびＬＤ（ダブルレターサイズ）用紙（１１×１７インチ）を用いた原稿（以下、ＬＤ原稿とする）が搬送される場合においても、２個または３個のパンチ穴が設けられたパンチ穴原稿と、ルーズリーフ原稿と、通常原稿とのいずれであるかの判定が可能になっている。
【００８６】
図１０は、原稿給紙トレイ２２上に異なる複数種類の原稿が載置される場合におけるそれぞれの種類の原稿に形成された２穴のパンチ穴の位置（ＬＴＳ原稿およびＬＤ原稿の場合には２穴および３穴のパンチ穴）の位置を示している。
この場合、例えば、原稿給紙トレイ２２には、最大、Ａ３サイズの原稿Ｄが長手方向を搬送方向に沿った状態（縦状態）で搬送されるように載置される場合には、Ｂ４サイズの原稿Ｄが長手方向を搬送方向とは直交する方向に沿った状態（縦状態）、Ａ４サイズの原稿Ｄが長手方向を搬送方向に沿った状態（縦状態、図１１において「Ａ４Ｓ」と表示する）でそれぞれ載置されて搬送可能になっている。この場合には、正面側（操作者の手前側）の位置決めガイド２２ａにて位置決めされる。
【００８７】
図１０には、これら３種類の原稿が原稿給紙トレイ２２に載置された場合における２穴のパンチ穴の位置を示している。なお、図１０においては、それぞれの原稿における正面側（操作者の手前側）の位置決めガイド２２ａにて位置決めされる基準位置を黒丸（●）で示し、正面側（操作者の手前側）のパンチ穴を黒三角（▲）で示し、奥側のパンチ穴をバツ印（×）で示している。
【００８８】
同様に、原稿給紙トレイ２２に、Ｂ４サイズの原稿が最大サイズの原稿として縦状態で載置される場合には、Ａ４サイズの原稿（縦状態）と、Ｂ５サイズの原稿（縦状態、図１１において「Ｂ５Ｓ」と表示する）とが、正面側（操作者の手前側）の位置決めガイド２２ａにて位置決めされる。
また、原稿給紙トレイ２２に、Ａ４サイズ（縦状態）の原稿が最大サイズの原稿として載置される場合には、Ｂ５サイズの原稿（縦状態）が、原稿給紙トレイ２２上に載置されて搬送可能である。この場合には、正面側（操作者の手前側）の位置決めガイド２２ａにて位置決めされる。
【００８９】
さらに、原稿給紙トレイ２２にＢ５サイズ（縦状態、「Ｂ５Ｓ」）の原稿が最大サイズの原稿として載置される場合には、Ａ５サイズの原稿（縦状態、「Ａ５Ｓ」）が載置されて搬送可能であり、正面側（操作者の手前側）の位置決めガイド２２ａにて位置決めされる。
さらに、原稿給紙トレイ２２にＡ５サイズ（縦状態、「Ａ５Ｓ」）の原稿が最大サイズの原稿として載置される場合には、Ｂ６サイズの原稿（縦状態、「Ａ６Ｓ」）が、載置されて搬送可能であり、正面側（操作者の手前側）の位置決めガイド２２ａにて位置決めされる。
【００９０】
さらに、ＬＴＳ原稿およびＬＤ原稿のいずれもが、縦状態になるように載置された場合にも、それぞれの自動搬送が可能になっており、この場合には、２穴および３穴のパンチ穴についてそれぞれ判定可能になっている。なお、３穴のパンチ穴の場合には、中央のパンチ穴については、図１０において黒菱形（◆）にて示している。
図１０に示すように、原稿給紙トレイ２２上における正面側（操作者の手前側）に位置する一方の位置決めガイド２２ａが、他方の位置決めガイド２２ａに対して最も離間した状態になっている場合を基準位置（０）とすると、基準位置から１１７ｍｍ以上であって１４５ｍｍ未満の離れた２８ｍｍの長さの範囲（一点鎖線で示す）には、原稿給紙トレイ２２上に複数種類の原稿が載置されるいずれの場合においても、全ての原稿にパンチ穴が形成されていても、パンチ穴は存在しない状態になる。
【００９１】
図９に示す原稿判定機構４０では、中央に位置する第２検出体４２の第２出力部４２ａが、原稿給紙トレイ２２上に複数種類の原稿が載置される場合に、それぞれの原稿のパンチ穴が存在しない領域、すなわち、原稿給紙トレイ２２上における正面側（操作者の手前側）に位置する一方の位置決めガイド２２ａが、他方の位置決めガイド２２ａに対して最も離間した状態での基準位置から、１１７ｍｍ以上１４５ｍｍ未満の範囲内において、２８ｍｍよりも若干短い長さに形成されている。
【００９２】
この場合、第２出力部４２ａは、それぞれの長さが等しいｎ個の抵抗ユニット４２ｄに分割されており、それぞれの抵抗ユニット４２ｄ毎に導電ブラシ４２ｂが設けられている。各導電ブラシ４２ｂは、ルーズリーフ原稿が通過する際にルーズリーフ穴または隣接するルーズリーフ穴の間の原稿部分のいずれかに対向するように配置されている。
なお、ルーズリーフ穴に対向して配置される抵抗ユニット４２ｄの個数と、隣接するルーズリーフ穴の間の原稿部分に対向して配置される抵抗ユニット４２ｄの個数とは等しく、ｎ／２個ずつになっており、各抵抗ユニット４２ｄにおけるそれぞれの電気抵抗値が等しくなっている。
【００９３】
この場合、第２出力部４２ａの分割された各抵抗ユニット４２ｄは、それぞれに設けられた導電ブラシ４２ｂの長さが、ルーズリーフ穴の直径と隣接するルーズリーフ穴の間隔とにおける短い方の長さに等しくなっている。
第２出力部４２ａの両側に位置する第１出力部４１ａおよび第３出力部４３ａは、原稿給紙トレイ２２上に載置される最もサイズの小さな原稿がルーズリーフ原稿の場合に、導電ブラシ４１ｂおよび４３ｂのそれぞれが複数のルーズリーフ穴を検出できるような長さであって、原稿給紙トレイ２２上に載置可能なサイズの全てのパンチ穴原稿における第２出力部４２ａの両側にそれぞれ位置するパンチ穴を介して、第１導電ブラシ４１ｂおよび第３導電ブラシ４３ｂが導電部材と接触できるような長さにそれぞれ設定されている。
【００９４】
このような構成の原稿判定機構４０では、図１１に示すように、第２出力部４２ａの各抵抗ユニット４２ｄが並列に接続されており、また、第１出力部４１ａ、第２出力部４２ａ、第３出力部４３ａが並列に接続されて、それら第１出力部４１ａ、第２出力部４２ａ、第３出力部４３ａには、所定の電気抵抗値を有するプルアップ抵抗４５を介して、所定の電圧（５Ｖ）が印加されている。また、導電部材４４は、グランドレベルになっている。
【００９５】
原稿判定機構４０は、プルアップ抵抗４５と、並列に接続された第１出力部４１ａ、第２出力部４２ａ、第３出力部４３ａとの接続点の電位を、出力電圧Ｖ４０としてＡＤＦ−ＣＰＵ５１に出力する。ＡＤＦ−ＣＰＵ５１は、原稿判定機構４０の出力電圧Ｖ４０をＡ／Ｄ変換して、出力電圧Ｖ４０に対応したデジタル値に基づいて、原稿がパンチ穴原稿かルーズリーフ原稿のいずれであるかを判定する。
【００９６】
図１２（ａ）は、搬送される原稿の種類に基づいて原稿判定機構４０における導電ブラシ４１ｂ、４２ｂ、４３ｂと導電部材４４との導電状態と、原稿判定機構４０全体の電気抵抗値との関係を示す表である。
図１２（ａ）の表に示すように、導電部材４４上を、綴じ穴が形成されていない通常原稿が通過する場合には、第１導電ブラシ４１ｂ、第２導電ブラシ４２ｂ、第３導電ブラシ４３ｂは、それぞれ、全体が導電部材４４と非接触状態になっているために、原稿判定機構４０全体の抵抗値が無限大（∞）になる。従って、原稿判定機構４０の出力電圧Ｖ４０は、並列に接続された第１出力部４１ａ、第２出力部４２ａ、第３出力部４３ａに印加される５Ｖの電圧になる。この場合の原稿判定機構４０の出力電圧Ｖ４０を原稿検出電圧Ｖｔ（＝５Ｖ）とする。
【００９７】
これに対して、導電部材４４上を原稿が通過しない場合（原稿なしの場合）には、第１導電ブラシ４１ｂ、第２導電ブラシ４２ｂ、第３導電ブラシ４３ｂのそれぞれの全体が導電部材４４と接触した導電状態になるために、原稿判定機構４０全体の抵抗値は、並列接続された第１出力部４１ａの抵抗値Ｒ１、第２出力部４２ａの抵抗値Ｒ２、第３出力部４３ａの抵抗値Ｒ３の合成抵抗分となる。なお、この場合の原稿判定機構４０の出力電圧Ｖ４０を基準電圧Ｖ０とする。
【００９８】
また、導電部材４４上をパンチ穴原稿が通過する場合には、第２導電ブラシ４２ｂはパンチ穴のない領域に対向していることから全体が非導電状態になるが、第１導電ブラシ４１ｂおよび第３導電ブラシ４３ｂのいずれか一方または両方（原稿サイズによっては、第１導電ブラシ４１ｂおよび第３導電ブラシ４３ｂの一方だけがパンチ穴内に進入する場合と両方がパンチ穴内に進入する場合がある）が、パンチ穴を通して導電部材４４と一部導電状態になる。
【００９９】
従って、第１検出体４１、第２検出体４２、第３検出体４３の全体の抵抗値は、第１出力部４１ａの抵抗値、または、第３出力部４３ａの抵抗値、または、第１出力部４１ａと第３出力部４３ａとの並列合成抵抗値のいずれかになる。この場合、出力電圧Ｖ４０は、綴じ穴がない通常原稿の場合の原稿検出電圧Ｖｔよりも低く、原稿が搬送されない場合の基準電圧Ｖ０よりも高いパンチ穴電圧Ｖｐになる。
【０１００】
さらには、導電部材４４上をルーズリーフ原稿が通過する場合には、第２出力部４２ａにおけるルーズリーフ穴にそれぞれ対向する抵抗ユニット４２ｄに設けられた導電ブラシ４２ｂのみが、ルーズリーフ穴を通して導電部材４４と導電状態になることから、第２出力部４２ａにおける半分の個数（ｎ／２個）の抵抗ユニット４２ｄが導電状態になる。
従って、第１検出体４１、第２検出体４２、第３検出体４３の全体の抵抗値は、第１出力部４１ａおよび第３出力部４３ａと、ｎ／２個の抵抗ユニット４２ｄとの並列合成抵抗になる。この場合の出力電圧Ｖ４０は、綴じ穴がない通常原稿の場合の原稿検出電圧Ｖｔよりも低く、原稿が搬送されない場合の基準電圧Ｖ０よりも高く、さらには、パンチ穴電圧Ｖｐよりも低い電圧（以下、ルーズリーフ電圧Ｖｒとする）になる。
【０１０１】
図１２（ｂ）は、第１出力部４１ａの抵抗Ｒ１と、第３出力部４３ａの抵抗値Ｒ３とをそれぞれ１０ｋΩ、第２出力部４２ａを、１０個（ｎ＝１０）の抵抗ユニット４２ｄに分割して、それぞれの抵抗ユニット４２ｄの抵抗値Ｒ２ ｎ（但し、ｎは、０〜９の整数）を５６ｋΩとした場合における搬送される原稿の種類と原稿判定機構４０の出力電圧Ｖ４０との具体例を示す表である。
【０１０２】
導電部材４４上を、綴じ穴が形成されていない通常原稿が通過する場合には、第１検出体４１、第２検出体４２、第３検出体４３の全体の抵抗値は無限大（∞）になることから、原稿判定機構４０の出力電圧Ｖ４０は、５Ｖの原稿検出電圧Ｖｔになる。
これに対して、導電部材４４上を原稿が通過しない場合（原稿なしの場合）には、原稿判定機構４０の出力電圧Ｖ４０は、１．０８Ｖの基準電圧Ｖ０になる。
【０１０３】
また、導電部材４４上をパンチ穴原稿が通過する場合には、第１検出体４１、第２検出体４２、第３検出体４３の全体の抵抗値は、第１出力部４１ａの抵抗値、または、第３出力部４３ａの抵抗値、または、第１出力部４１ａと第３出力部４３ａとの並列合成抵抗値のいずれかになるために、原稿判定機構４０の出力電圧Ｖ４０は、３．８４Ｖ（第１導電ブラシ４１ｂおよび第３導電ブラシ４３ｂのいずれか一方が導電状態になる場合）、または、３．１１Ｖ（第１導電ブラシ４１ｂおよび第３導電ブラシ４３ｂの両方が導電状態になる場合）のパンチ穴電圧Ｖｐになる。
【０１０４】
導電部材４４上をパンチ穴原稿が通過する場合には、第２出力部４２ａにおける１／２個（５個）の抵抗ユニット４２ｄに設けられた導電ブラシ４２ｂが導電状態になるために、第２出力部４２ａにおける全抵抗値Ｒ２の１／２の抵抗値による電圧降下が発生し、原稿判定機構４０の出力電圧Ｖ４０として１．２８Ｖのルーズリーフ電圧Ｖｒが出力されることになる。
【０１０５】
このように、第２出力部４２ａは、導電ブラシ４２ｂがルーズリーフ穴を介して導電部材と導電状態になる抵抗ユニット４２ｄと、導電ブラシ４２ｂがルーズリーフ穴を介して導電部材とは非導電状態になる抵抗ユニット４２ｄとに分割されているために、ルーズリーフ原稿の通過時に、第２出力部４２ａは所定の抵抗値になり、ルーズリーフ原稿であることを正確に検出することができる。
【０１０６】
なお、ＬＴＳ原稿およびＬＤ原稿であっても、２穴のパンチ穴およびルーズリーフ穴が形成されていることは、上述の場合と同様にして判定することができる。さらには、ＬＴＳ原稿およびＬＤ原稿の場合には、２穴のパンチ穴が形成されていることについても、２穴のパンチ穴、３穴のパンチ穴、ルーズリーフ穴がそれぞれ形成されている場合における原稿判定機構４０の出力電圧Ｖ４０に基づいて判定することができる。
【０１０７】
以下、本実施形態におけるＡＤＦ−ＣＰＵ５１にて実行される原稿判定制御の処理について、図１３および図１４のフローチャートに基づいて説明する。
ＡＤＦ−ＣＰＵ５１は、原稿給紙トレイ２２に原稿が載置された状態で、原稿画像の読取が指示されると、ピックアップローラ２１ｃを回転駆動させる（図１３のステップＳ２１参照、以下、同様）。そして、原稿判定機構３０の出力電圧Ｖ４０が、原稿Ｄが搬送されていない状態の基準電圧Ｖ０（図１２（ｂ）に示す表においては１.０８Ｖ）であることを確認する（ステップＳ２２）。
【０１０８】
出力電圧Ｖ４０が基準電圧Ｖ０になっていない場合には（ステップＳ２２において「ＹＥＳ」）、原稿の先端縁から綴じ穴までの長さに対応する時間の測定中であることを示す測定フラグＰをリセット状態（Ｐ＝０）とする（ステップＳ２３）。なお、フラグＰがリセット状態（Ｐ＝０）になっている場合（ステップＳ２５において「ＹＥＳ」）は、ステップＳ２２に戻る。
【０１０９】
その後、ピックアップローラ２１ｃによって搬送される原稿Ｄの先端縁が原稿判定機構４０の導電ブラシ４１ｂ〜４３ｂに接触して、導電ブラシ４１ｂ〜４３ｂの全体が導電部材４４と非導電状態になることによって、原稿判定機構４０の出力電圧Ｖ４０が基準電圧Ｖ０から変化すると（ステップＳ２２において「ＮＯ」）、原稿の先端縁から綴じ穴までの長さに対応する時間の測定中であることを示す測定フラグＰをセット状態（Ｐ＝１）とする（ステップＳ２４）。そして、ステップＳ２５に進んで、測定フラグＰがセット状態になっていることを確認して（ステップＳ２５において「ＮＯ」）、原稿判定機構４０の出力電圧Ｖ４０が基準電圧Ｖ０から原稿検出電圧Ｖｔ（図１２（ｂ）に示す表においては５Ｖ）になるまで待機状態になる（ステップＳ２６）。
【０１１０】
原稿判定機構４０の出力電圧Ｖ４０が原稿検出電圧Ｖｔになると（ステップＳ２６にて「ＹＥＳ」）、搬送される原稿Ｄの先端縁が原稿判定機構４０の全ての導電ブラシ４１ｂ〜４３ｂに接触して導電部材４４と非導電状態になったものとして、測定フラグＰをリセット状態（Ｐ＝０）にするとともに、原稿種類が判定されたことを示す原稿種類判定フラグｎをリセット状態（ｎ＝０）とし、さらには、タイマーによる時間の計測を開始する（ステップＳ２７）。
【０１１１】
なお、ステップＳ２６において、原稿判定機構４０の出力電圧Ｖ４０が原稿検出電圧Ｖｔにならず（ステップＳ２６において「ＮＯ」）、所定時間が経過すると（ステップＳ２８において「ＹＥＳ」）、当該原稿の種類の判定制御は終了して、次の原稿の種類の判定制御を実行することになる。
その後、原稿判定機構４０の出力電圧Ｖ４０が、原稿検出電圧Ｖｔよりも低下したパンチ穴電圧Ｖｐ（図１２（ｂ）の表において３．８４Ｖまたは３．１１Ｖ）になっているかを確認する（図１４のステップＳ３１）。原稿判定機構４０の出力電圧Ｖ４０がパンチ穴電圧Ｖｐになっている場合には（ステップＳ３１において「ＹＥＳ」）、ＡＤＦ−ＣＰＵ５１は、搬送される原稿がパンチ穴原稿であることを内部の記憶部に記憶するとともに、原稿の種類の判定が実行されたことを示す原稿種類判定フラグｎをセット状態（ｎ＝１）とする（ステップＳ３２）。その後、ステップＳ３５に進む。
【０１１２】
ステップＳ３１において、原稿判定機構４０の出力電圧Ｖ４０がパンチ穴電圧Ｖｐになっていない場合には（ステップＳ３１において「ＮＯ」）、ステップＳ３３に進んで、出力電圧Ｖ３０が、パンチ穴電圧Ｖｐよりもさらに低下したルーズリーフ穴電圧Ｖｒ（図１２（ｂ）の表において１.２８Ｖ）になっているかを確認する。原稿判定機構４０の出力電圧Ｖ４０がルーズリーフ穴電圧Ｖｒになっている場合には（ステップＳ３３において「ＹＥＳ」）、ＡＤＦ−ＣＰＵ５１は、搬送される原稿がルーズリーフ原稿であることを内部の記憶部に記憶するとともに、原稿種類判定フラグｎをセット状態（ｎ＝１）とする（ステップＳ３４）。その後、ステップＳ３５に進む。
【０１１３】
ステップＳ３５では、原稿判定機構４０の出力電圧Ｖ４０がパンチ穴電圧Ｖｐまたはルーズリーフ穴電圧Ｖｒになった時点におけるタイマーによって計測された時間Ｔｆを記憶する。なお、ステップＳ３５において、タイマーによる計測時間Ｔｆが記憶されても、タイマーによる時間の計測は続行される。
その後、原稿判定機構４０の出力電圧Ｖ４０が原稿検出電圧Ｖｔ（綴じ穴なし状態）になるまで待機状態になる（ステップＳ３６）。そして、原稿判定機構４０の出力電圧Ｖ４０が原稿検出電圧Ｖｔになると（ステップＳ３６において「ＹＥＳ」）、ＡＤＦ−ＣＰＵ５１は、その時点におけるタイマーによって計測された時間Ｔｂを、綴じ穴の後端位置情報として、内部の記憶部に記憶し、タイマーをリセットする（ステップＳ３７）。この時間Ｔｂは、搬送される原稿における搬送方向の先端縁が検出された時点から、パンチ穴またはルーズリーフ穴における搬送方向の後端縁が検出されるまでの時間（綴じ穴後端検出時間）である。
【０１１４】
このような状態になると、原稿判定機構４０の出力電圧Ｖ４０が基準電圧Ｖ０（原稿なし状態）になるまで待機状態になる（ステップＳ３８）。
なお、ステップＳ３３において、原稿判定機構４０の出力電圧Ｖ４０がルーズリーフ穴電圧Ｖｒになっていない場合にも（ステップＳ３３において「ＮＯ」）、ステップＳ３８に進んで、出力電圧Ｖ４０が基準電圧Ｖ０になるまで待機状態になる。
【０１１５】
ステップＳ３８において、原稿判定機構４０の出力電圧Ｖ４０が基準電圧Ｖ０になると、原稿種類判定フラグｎがセット状態になっているかを判定する（ステップＳ３９）。原稿種類判定フラグｎがセット状態（ｎ＝１）になっている場合には（ステップＳ３９において「ＹＥＳ」）、すでに、搬送される原稿がパンチ穴原稿またはルーズリーフ原稿であることが判定されているために、ステップＳ２１に戻って、次に搬送される原稿Ｄの判定制御を実行することになる。
【０１１６】
これに対して、原稿種類判定フラグｎがセット状態になっていない場合には（ステップＳ３９において「ＮＯ」）、原稿判定機構４０の出力電圧Ｖ４０がパンチ穴電圧Ｖｐまたはルーズリーフ穴電圧Ｖｒのいずれにもならず、従って、搬送される原稿がパンチ穴原稿およびルーズリーフ原稿のいずれとも判定されていないことから、搬送原稿を綴じ穴が形成されていない通常原稿として記憶部に記憶して（ステップＳ４０）、次に搬送される原稿Ｄの判定制御を実行することになる。
【０１１７】
このようにして、ＡＤＦ−ＣＰＵ５１は、原稿判定機構４０の出力電圧Ｖ４０に基づいて搬送される原稿が、パンチ穴原稿、ルーズリーフ原稿、通常原稿のいずれであるかを判定して記憶し、かつ、パンチ穴原稿またはルーズリーフ原稿の場合には、綴じ穴先端検出時間Ｔｆおよび綴じ穴後端位置時間Ｔｂを記憶した状態になる。その後、搬送される原稿は、第１原稿センサ２６ａ〜第４原稿センサ２６ｄのそれぞれにおいて検出される。
【０１１８】
第１原稿センサ２６ａ〜第４原稿センサ２６ｄのそれぞれにおいて原稿が検出された状態になると、その検出時から綴じ穴先端検出時間Ｔｆが経過した後に、綴じ穴後端位置時間Ｔｂが経過するまでの間は、第１原稿センサ２６ａ〜第４原稿センサ２６ｄのそれぞれの出力を無効にするようになっている。その後に、第１原稿センサ２６ａ〜第４原稿センサ２６ｄのそれぞれが搬送原稿Ｄの非検出状態に変化すると、即座に搬送原稿Ｄの後端縁が検出されたものと判定し、第１分岐ガイド２１ｈ、第２分岐ガイド２１ｍの切り替え、次の原稿Ｄの搬送の開始等の制御を直ちに実行する。
【０１１９】
また、通常原稿の場合には、原稿Ｄの先端縁が第１原稿センサ２６ａ〜第４原稿センサ２６ｄのそれぞれにおいて検出されると、所定時間が経過するまで待機することなく、第１分岐ガイド２１ｈ、第２分岐ガイド２１ｍの切り替え、次の原稿Ｄの搬送の開始等の制御を直ちに実行する。
さらに、ＡＤＦ−ＣＰＵ５１は、記憶された原稿の情報（パンチ穴原稿、ルーズリーフ原稿、通常原稿のいずれか）を、綴じ穴先端検出時間Ｔｆおよび綴じ穴後端位置時間Ｔｂとともに、スキャン−ＣＰＵ４１に出力する。
【０１２０】
スキャン−ＣＰＵ４１では、ＡＤＦ−ＣＰＵ５１からの綴じ穴に関する情報に基づいて、原稿がパンチ穴原稿、ルーズリーフ原稿、通常原稿のいずれであるかを確認し、それぞれの原稿に適した画像形成動作を実行する。
すなわち、原稿Ｄが通常原稿でない場合には、綴じ穴先端位置時間Ｔｆに基づいて、原稿Ｄの先端縁から綴じ穴の先端位置までの距離を算出するとともに、綴じ穴先端位置時間Ｔｆおよび綴じ穴後端位置時間Ｔｂに基づいて、綴じ穴の原稿搬送方向に沿った長さを算出する。そして、原稿Ｄの画像データをプリントアウトする際に、綴じ穴の位置に対応する画像データを無効にして、綴じ穴が画像データとしてプリントアウトされることを防止する。これにより、プリントアウトされた画像には、綴じ穴の影等が形成されるおそれがなく、高画質の画像が得られる。
【０１２１】
なお、本実施形態では、第１検出体４１または第３検出体４３と同様の構成の１つの検出体だけでも、ルーズリーフ原稿、パンチ穴原稿、通常原稿のいずれであるかを判定することが可能である。この場合には、検出体の出力部を、パンチ穴原稿の搬送時に、先端側または後端側の側縁部に沿って形成されたパンチ穴を検出することができる長さとして、搬送経路内における所定位置に配置すればよい。
【０１２２】
また、本実施形態では、原稿給紙トレイ２２に、異なるサイズの複数枚の原稿Ｄを載置して原稿画像を読み取る場合には、正面側（操作者の手前側）に位置する一方の位置決めガイド２２ａに、それぞれの原稿Ｄの側縁を、それぞれ位置決めすることによって、載置された各原稿Ｄを給紙本体部２１Ａ内の搬送経路に自動搬送する構成であったが、奥側に位置する位置決めガイド２２ａによって、それぞれの原稿Ｄの側縁を、それぞれ位置決めする構成であってもよい。
【産業上の利用可能性】
【０１２３】
本発明は、原稿を自動搬送する自動原稿搬送装置において、装置が大型化することなく、搬送される原稿が、ルーズリーフ原稿、パンチ穴原稿、通常原稿のいずれであるかを判定することができる。
【符号の説明】
【０１２４】
Ａ        画像形成装置本体
Ｂ        画像読取装置
１０      スキャナユニット
１２      第１スライダー
１３      第２スライダー
２０      ＡＤＦユニット
２１      ＡＤＦユニット本体
２１ｃ    ピックアップローラ
２１ｄ    第１搬送経路
２１ｉ    第１搬送ローラ
２１ｊ    第２搬送ローラ
２２      原稿給紙トレイ
２６ａ    第１原稿センサ
２６ｂ    第２原稿センサ
２６ｃ    第３原稿センサ
２６ｄ    第４原稿センサ
３０      原稿判定機構
３１      導電部材
３２      第１検出体
３２ａ    第１出力部
３２ｂ    第１導電ブラシ
３３      第２検出体
３３ａ    第２出力部
３３ｂ    第２導電ブラシ
４０      原稿判定機構
４１      第１検出体
４１ａ    第１出力部
４１ｂ    第１導電ブラシ
４２      第２検出体
４２ａ    第２出力部
４２ｂ    第２導電ブラシ
４３      第３検出体
４３ａ    第３出力部
４３ｂ    第３導電ブラシ
４４      導電部材
５１      ＡＤＦ−ＣＰＵ
【図１】
2011118282.tif 000003
【図２】
2011118282.tif 000004
【図３】
2011118282.tif 000005
【図４】
2011118282.tif 000006
【図５】
2011118282.tif 000007
【図６】
2011118282.tif 000008
【図７】
2011118282.tif 000009
【図８】
2011118282.tif 000010
【図９】
2011118282.tif 000011
【図１０】
2011118282.tif 000012
【図１１】
2011118282.tif 000013
【図１２】
2011118282.tif 000014
【図１３】
2011118282.tif 000015
【図１４】
2011118282.tif 000016